(57)【要約】【課題】  把手部材の形状を簡単なものにし、インサート成形により内容量が５００ｍｌ以下のボトルの肩部に、把手を固着させるようにした把手付きボトルを提供すること。【解決手段】  把手付き小容量ボトルとして、ボトルの容量が５００ｍｌ以下のＰＥＴ樹脂製で、別途成形された把手部材をブロー金型の肩部形成部に装着し、加熱軟化させたプリフォームをブロー成形することにより、ボトルの肩部に把手部材をインサート成形したボトルであって、把手部材が、表壁面と、表壁面の表側上部に連設される上壁と、上壁の外側縁下面からヒンジを介して連設され、中央に把手孔が穿設されている把手壁と、表壁面の裏側に連設された係合部とからなり、係合部は、表壁面の裏面に連設される基部と、基部から上下および両側面に突出するように配設された突部とを具えていることを特徴とする。【選択図】  図１
2011246200.tif 000002
【特許請求の範囲】
【請求項１】
ボトルの容量が５００ｍｌ以下のＰＥＴ樹脂製で、別途成形された把手部材をブロー金型の肩部形成部に装着し、加熱軟化させたプリフォームをブロー成形することにより、ボトルの肩部に把手部材をインサート成形したボトルであって、
把手部材が、表壁面と、表壁面の表側上部に連設される上壁と、上壁の外側縁下面からヒンジを介して連設され、中央に把手孔が穿設されている把手壁と、表壁面の裏側に連設された係合部とからなり、
係合部は、表壁面の裏面に連設される基部と、基部から上下および両側面に突出するように配設された突部とを具えていることを特徴とする把手付き小容量ボトル。
【発明の詳細な説明】
【技術分野】
【０００１】
本発明は、把手付きボトル、特に、把手部材をインサート成形により一体成形した内容量が５００ｍｌ以下のＰＥＴ樹脂製ボトルに関するものである。
【背景技術】
【０００２】
容器の持ち運びを簡単にするため、把手を具えた把手付きボトルとして、把手部材を別体で成形し、インサート成形によりボトルの一部に固着させた把手付きボトルは、従来より知られている（例えば、特許文献１、２参照）。
【先行技術文献】
【特許文献】
【０００３】
【特許文献１】特開平６−３３５９５８号
【特許文献２】特開平７−８０９２１号
【発明の概要】
【発明が解決しようとする課題】
【０００４】
上記特許文献１、２記載の把手付きボトルは、いずれも大型のボトルであって、把手はボトルの胴部にインサート成形されるようにしている。
しかしながら、５００ｍｌ以下の小容量のボトルでは、従来のように把手を胴部に取り付けた場合、把手がかえってボトルの持ち運びや取扱いの妨げとなり、美観を損なうことにもなった。
【０００５】
小容量のボトルの場合には、ボトル自体を手で掴むことだけで充分であるので、ボトル自体に把手を付けることまで考えなかった。
また、ボトルの持ち運び、使い勝手をよくするため、小容量のボトルの首部にひも等を巻き付けたり、ボトル自体を袋等で包み込んだり、ひも等を引っ掛けて使用するということも考えられてはいるが、ボトルに、ひも等を装着するための作業が必要となっていた。
【０００６】
本発明は、上記の事情を考え、把手部材の形状を簡単なものにし、インサート成形により内容量が５００ｍｌ以下のボトルの肩部に、把手を固着させるようにした把手付きボトルを提供することを目的とする。
【課題を解決するための手段】
【０００７】
本発明は、上記の課題を解決するため、把手付き小容量ボトルとして、ボトルの容量が５００ｍｌ以下のＰＥＴ樹脂製で、別途成形された把手部材をブロー金型の肩部形成部に装着し、加熱軟化させたプリフォームをブロー成形することにより、ボトルの肩部に把手部材をインサート成形したボトルであって、把手部材が、表壁面と、表壁面の表側上部に連設される上壁と、上壁の外側縁下面からヒンジを介して連設され、中央に把手孔が穿設されている把手壁と、表壁面の裏側に連設された係合部とからなり、係合部は、表壁面の裏面に連設される基部と、基部から上下および両側面に突出するように配設された突部とを具えていることを特徴とする構成を採用する。
【発明の効果】
【０００８】
本発明の把手付きボトルは、容量が５００ｍｌ以下のＰＥＴボトルの肩部に把手をインサート成形することによって取着するようにしたので、胴部のパネル面の形状を変更することがなく、ボトルの持ち運び、使い勝手がよくなった。
【図面の簡単な説明】
【０００９】
【図１】本発明の第１実施例の把手付きボトルの立面図である。
【図２】把手部材の斜視図である。
【図３】ボトル肩部の説明図で、（ａ）は上面図、（ｂ）は断面立面図である。
【発明を実施するための形態】
【００１０】
次に、本発明の把手付きボトルについて、図面を参照して説明する。
図１において、ＡはＰＥＴ樹脂により延伸ブロー成形され、内容量が５００ｍｌ以下のボトル、ＢはボトルＡの肩部の一部にインサート成形により一体成形される把手部材、ＣはボトルＡの肩部の一部に把手部材Ｂをインサート成形することにより形成される係合凹部である。
ボトルＡは、口部１と肩部２、胴部３と底部とからなっている。
肩部２と胴部３の境には、横リブ４が設けられている。
【００１１】
把手部材Ｂは、図１〜３に示すように、表壁面５と、表壁面５の表側上部に連設される上壁６と、上壁６の外側縁下面からヒンジ７を介して連設される把手壁８と、表壁面５の裏側に連設され、係合凹部Ｃに係合する係合部９とからなっている。
把手壁８の所定の位置には、把手孔１０が穿設されている。
【００１２】
係合部９は、表壁面５の裏面に連設される基部１１と、基部１１の上下、および両側面から突出するように配設された複数の突部１２とからなっている。
【００１３】
係合凹部Ｃは、成形した把手部材ＢをボトルＡのブロー金型横リブ４面より上の肩部成形部に装着し、加熱軟化させたボトルＡのプリフォームをブロー成形することにより、把手部材Ｂの表壁面５裏面に、プリフォームが接合するとともに、突部１２の裏面にボトルＡの樹脂が回り込み、図１、３に示すように、ボトルＡの肩部２の一部に、係合部９の外面と係合する係合凹部Ｃが形成される。
その際、係合凹部Ｃには、把手部材Ｂの係合部９に複数配設された突部１２の表面側に係合する凸部１３がボトルＡの樹脂の回り込みにより複数形成される。
【００１４】
次に、本実施形態の把手付きボトルの作用効果について説明する。
本実施形態の把手付きボトルは、ボトルＡに把手部材Ｂをインサート成形により一体化して成形するので強固に固着することができ、ボトルとしての美観を損なうことがない。
【００１５】
また、把手部材Ｂの係合部９の基部１１の上下および両側面に、突部１２を複数配設したので、ボトル成形時に、把手部材Ｂを、係合凹部Ｃに形成される凸部１３との係合により、ボトルＡに強固に固着することができる。
【００１６】
把手部材Ｂの上壁６に、把手壁８をヒンジ７を介して連設しているため、把手壁８をボトルＡに対して上下に向きを変えることができ、手指等で把手壁８を摘んだり、把手孔１０に手指等を引っ掛けることが簡単にでき、ボトルの持ち運びに便利である。
【００１７】
さらに、把手部材Ｂは、手指等で把手壁８を摘んだり、把手孔１０に引っ掛けることができればよいので、大きさを小さくすることができ、内容量が少なく小さいボトルにも、ボトルＡに把手部材Ｂをインサート成形により一体化して強固に固着することができる。
【００１８】
本発明の把手付きボトルは、ボトルＡに把手部材Ｂをインサート成形により一体化して強固に固着することができればよいので、ボトルの形状は円形、四角形、多角形を問わずどんな形状でもよい。
また、実施例では、表壁面５裏面の基部１１を板状体としたが、表壁面から先端に係止部を設けた突出片を配設するようにしてもよい。
また、把手部材Ｂの係合部９の基部１１の上下および両側面に、突部１２を複数配設したので、ボトル成形時に、把手部材Ｂを、係合凹部Ｃに形成される凸部１３との係合により、ボトルＡに強固に固着することができる。
【００１９】
把手部材Ｂは、手指等を引っ掛けることができるので、ストラップや首掛け等を引っ掛けて結ぶことにより、ボトルの持ち運びをさらに便利にすることができ、さらに、ストラップや首掛け等をフック等に引っ掛ける等によりボトルを所定の場所に引っ掛けておくことができる。
【産業上の利用可能性】
【００２０】
本発明の把手付きボトルは、把手部材の構造を簡単で小さいものにすることができ、内容量が５００ｍｌ以下のＰＥＴ樹脂により成形されるボトルの成形時に、把手部材をインサート成形することにより一体成形させることで、把手部材をボトルの肩部の一部に固着することができる。
また、どのような形のボトルにも、把手部材を一体成形し、持ち運び、または引っ掛けることが簡単にできるので、飲料品、食料品、香料、薬品の容器として、広く利用することができる。
【符号の説明】
【００２１】
Ａ              ボトル
Ｂ              把手部材
Ｃ              係合凹部
１              口部
２              肩部
３              胴部
４              横リブ
５              表壁面
６              上壁
７              ヒンジ
８              把手壁
９              係合部
１０            把手孔
１１            基部
１２            突部
１３            凸部
【図１】
2011246200.tif 000003
【図２】
2011246200.tif 000004
【図３】
2011246200.tif 000005